(57)【要約】【課題】小型・軽量化を図ることができる、仕切板で多槽化した水槽に複合ろ材を組み込んだ生物ろ過装置を提供する。【解決手段】仕切板で多槽化した水槽に複合ろ材を組み込んだ生物ろ過装置において、水の取り入れ口のある仕切板２２で仕切られた水槽の内側にさらに中仕切板２３が設けられ、この中仕切板２３を挟んでネット容器（ネットフィルター）３４と底面フィルター３３が配置される。【選択図】　　図３
2004136166.tif 000002
【特許請求の範囲】
【請求項１】
水の取り入れ口のある仕切板で仕切られた水槽の内側にさらに中仕切板が設けられ、該中仕切板を挟んでネットフィルターと底面フィルターが配置されることを特徴とする仕切板で多槽化した水槽に複合ろ材を組み込んだ生物ろ過装置。
【請求項２】
請求項１記載の仕切板で多槽化した水槽に複合ろ材を組み込んだ生物ろ過装置において、前記ネットフィルターは容器化され内側の中心部に四角筒状のネットの膨張防止部が取り付けられ、該膨張防止部の内側には椰子の実繊維と炭素繊維が装着され、前記ネットフィルター底部には空気排出部が取り付けられていることを特徴とする仕切板で多槽化した水槽に複合ろ材を組み込んだ生物ろ過装置。
【請求項３】
請求項１記載の仕切板で多槽化した水槽に複合ろ材を組み込んだ生物ろ過装置において、前記ネットフィルターは容器化され内側の椰子の実繊維が取付けられ、その内側には流紋岩（コーガ石）・玄武岩などのゼオライトと椰子の実繊維や炭素繊維を組み合わせたろ過装置を溜槽に複合的に使用したことを特徴とする仕切板で多槽化した水槽に複合ろ材を組み込んだ生物ろ過装置。
【発明の詳細な説明】
【０００１】
【発明の属する技術分野】
本発明は、仕切板で多槽化した水槽に複合ろ材を組み込んだ生物ろ過装置に関するものである。
【０００２】
【従来の技術】
従来、このような分野の技術として、下記の特許文献１には、通気性を有する円筒状容器と、この円筒状容器内に収納される好気性のバクテリアが移植された多孔質の素材と、この多孔質の素材に汚水を流通させる汚水流通手段と、前記多孔質の素材ににホースを介してエアーを流通させ、バクテリアを活性化させて、汚水の浄化処理を行う装置及び設備が開示されている。
【０００３】
また、下記の特許文献２では、コーガ石入りネット及び又はカルシウム成分入りネットとを装着する容器本体と、この容器本体内に空気を送り込む送風装置とを備えて、前記容器本体に強酸性の河川湖沼水を通して中和処理を行うようにしている。
【０００４】
【特許文献１】
特開平７−５１６８８号公報（第３頁−第４頁　図１）
【特許文献２】
特開２００２−２２４６７７号公報（第３頁−第４頁　図１）
【０００５】
【発明が解決しようとする課題】
しかしながら、上記した従来の装置は大型、かつ重量化し、コストの面で問題があった。
【０００６】
本発明は、上記状況に鑑み、小型・軽量化を図ることができる、仕切板で多槽化した水槽に複合ろ材を組み込んだ生物ろ過装置を提供することを目的とする。
【０００７】
【課題を解決するための手段】
本発明は、上記目的を達成するために、
〔１〕仕切板で多槽化した水槽に複合ろ材を組み込んだ生物ろ過装置において、水の取り入れ口のある仕切板で仕切られた水槽の内側にさらに中仕切板が設けられ、この中仕切板を挟んでネットフィルターと底面フィルターが配置されることを特徴とする。
【０００８】
〔２〕上記〔１〕記載の仕切板で多槽化した水槽に複合ろ材を組み込んだ生物ろ過装置において、前記ネットフィルターは容器化され内側の中心部に四角筒状のネットの膨張防止部が取り付けられ、この膨張防止部の内側には椰子の実繊維と炭素繊維が装着され、前記ネットフィルター底部には空気排出部が取り付けられていることを特徴とする。
【０００９】
〔３〕上記〔１〕記載の仕切板で多槽化した水槽に複合ろ材を組み込んだ生物ろ過装置において、前記ネットフィルターは容器化され内側に椰子の実繊維が取付けられ、その内側には流紋岩（コーガ石）・玄武岩などのゼオライトと椰子の実繊維や炭素繊維を組み合わせたろ過装置を溜槽に複合的に使用したことを特徴とする。
【００１０】
【発明の実施の形態】
以下、本発明の実施の形態について図面を参照しながら詳細に説明する。
【００１１】
本発明にかかる仕切板で多槽化した水槽に複合ろ材を組み込んだ生物ろ過装置では、ネットフィルターを設けるようにしている。
【００１２】
図１は本発明の第１実施例を示すネットフィルターの構成図であり、図１（ａ）はそのネットフィルターの分解図、図１（ｂ）はそのネットフィルターに融着される四角筒状のネット容器の膨張防止部材の斜視図、図１（ｃ）は膨張防止部材内のろ過部材を示す図、図１（ｄ）はそのろ過部材の変形例を示す図である。
【００１３】
これらの図において、１はネット容器、２は四角筒状のネット容器１の膨張防止部材（広がりストッパー）、３はネット上蓋、４はエアストーン５が配置されたネット底蓋、６はネット容器の膨張防止部材２内に収納される椰子の実繊維７を有する樹脂ネット、８はネット容器の膨張防止部材２内に収容される炭素繊維９を有する樹脂ネットである。
【００１４】
そこで、ネット容器１の内側に四角筒状のネット容器の膨張防止部材２が融着され、その内部に椰子の実繊維７や、炭素繊維９を有する樹脂ネット（ゼオライト樹脂ネット）６，８が収納され、その外側には、流紋岩（コーガ石）や玄武岩が収納され、ネットフィルターが製造される。
【００１５】
図２は本発明の第２実施例を示すネットフィルターの構成図であり、図２（ａ）はそのネットフィルターの分解図、図２（ｂ）はそのネットフィルターに装着される樹脂ネットを示す図である。
【００１６】
これらの図において、１１はネット容器、１２は容器の内側に取付けられた椰子の実繊維、１３はネット上蓋、１４はエアストーン１５が配置されたネット底蓋である。１６は、椰子の実繊維１７や炭素繊維１８〔流紋岩（コーガ石）・玄武岩１９を含む〕などが組み込まれている樹脂ネットである。
【００１７】
図３は本発明の第１実施例を示す仕切板で多槽化した水槽に複合ろ材を組み込んだ生物ろ過装置の正面図、図４はその側面図である。
【００１８】
これらの図において、２１は水槽、２２は仕切板、２３は中仕切板、２４はコンプレッサー、２５はホース、２６はエアー送風パイプ、２７はパイプ、２８はエアー及び水の排出口、２９，３０はパイプ、３１，３２はエアストーン、３３は底面フィルター、３４は仕切板２２と中仕切板２３で仕切られた溜槽に装着されるネットフィルターのネット容器、３５は水槽２１の上蓋である。
【００１９】
図５は本発明の第３実施例を示す複合ろ材を組み込んだ生物ろ過装置の要部構成図である。
【００２０】
この図に示すように、水槽１０１に背の低い仕切板１０２を設け、その内側に底面フィルター１０３を設置する。その底面フィルター１０３上部に流紋岩（コーガ石）と玄武岩を敷き詰める。底面フィルター１０３に取り付けてある送風パイプ１０４から空気を送ると、底面フィルター１０３内部に溜まっている水は空気と一緒に外へ出る。
【００２１】
図６は本発明の第４実施例を示す複合ろ材を組み込んだ生物ろ過装置の要部構成図である。
【００２２】
この図に示すように、仕切板２０１に設けられた水の取り入れ口２０２にネットフィルターを設置する。このネットフィルターに取り付けたエアストーンから出た空気は、ネットフィルターの中を通り、上部に吹き上げ水と一緒に中仕切板２０３を越えて底面フィルターが設置されている溜槽に入る。水は流紋岩（コーガ石）や玄武岩が敷き詰めてある中を通って、底面フィルターの中に入り、空気と一緒に排出パイプから外に排出される。
【００２３】
上記したように、本発明によれば、
（Ａ）樹脂ネット（樹脂成形物を含む）と椰子の実繊維マットが一対となったネットフィルターを有する。
【００２４】
（Ｂ）ネットフィルターの弱点であるネットの膨張を防ぐためにネットフィルター内部にネット膨張防止部を設けるようにした。
【００２５】
（Ｃ）ネット膨張防止部は四角筒状となっているため、内側は空洞になっていおり、その内側空間を利用して椰子の実繊維や炭素繊維などのろ材を内部に収納できコンパクトな構成となっている。
【００２６】
（Ｄ）ネット膨張防止部の内側部は、繊維状のろ過材が収納され、外側には流紋岩（コーガ石）や玄武岩などのゼオライトを装着して、下部から空気が送られる構造になっており、構成が簡素化されている。
【００２７】
（Ｅ）仕切板と中仕切板で多槽になった溜槽は、ネットフィルターと底面フィルターが一対で装着使用される構造である。
【００２８】
（Ｆ）本発明の材料は流紋岩（コーガ石）や玄武岩などのゼオライトや炭素繊維、椰子の実繊維などの素材をろ過材として複合的に組み合わせ、それに合わせて装置を作り、多槽の構造になるように溜槽内部を複合的に配置する。
【００２９】
本発明は、浄水・鑑賞水槽だけでなく業務用家庭雑排水処理等にも応用できる。
【００３０】
なお、本発明は上記実施例に限定されるものではなく、本発明の趣旨に基づいて種々の変形が可能であり、これらを本発明の範囲から排除するものではない。
【００３１】
【発明の効果】
以上、詳細に説明したように、本発明によれば、以下のような効果を奏することができる。
【００３２】
（Ａ）小型・軽量化を図ることができる。
【００３３】
（Ｂ）汚水の処理能力を高めるために、装置内のろ材を複合的に組み合わせ、水槽内を仕切板で多槽化し、溜槽の中にいくつかのろ過装置を複合的に配置することにより、生物ろ過の能力を向上させることができる。
【図面の簡単な説明】
【図１】本発明の第１実施例を示すネットフィルターの構成図である。
【図２】本発明の第２実施例を示すネットフィルターの構成図である。
【図３】本発明の第１実施例を示す仕切板で多槽化した水槽に複合ろ材を組み込んだ生物ろ過装置の正面図である。
【図４】本発明の第１実施例を示す仕切板で多槽化した水槽に複合ろ材を組み込んだ生物ろ過装置の側面図である。
【図５】本発明の第３実施例を示す複合ろ材を組み込んだ生物ろ過装置の要部構成図である。
【図６】本発明の第４実施例を示す複合ろ材を組み込んだ生物ろ過装置の要部構成図である。
【符号の説明】
１，１１，３４　　ネット容器
２　　四角筒状のネット容器の膨張防止部材（広がりストッパー）
３，１３　　ネット上蓋
４，１４　　ネット底蓋
５，１５，３１，３２　　エアストーン
７，１７　　椰子の実繊維
６，８，１６　樹脂ネット
９，１８　　炭素繊維
１２　　容器の内側に取付けられた椰子の実繊維
１９　　流紋岩（コーガ石）・玄武岩
２１，１０１　　水槽
２２，２０１　　仕切板
２３，２０３　　中仕切板
２４　　コンプレッサー
２５　　ホース
２６　　エアー送風パイプ
２７，２９，３０　　パイプ
２８　　エアー及び水の排出口
３３，１０３　　底面フィルター
３５　　上蓋
１０２　　背の低い仕切板
１０４　　送風パイプ
２０２　　水の取り入れ口
【図１】
2004136166.tif 000003
【図２】
2004136166.tif 000004
【図３】
2004136166.tif 000005
【図４】
2004136166.tif 000006
【図５】
2004136166.tif 000007
【図６】
2004136166.tif 000008